(57)【要約】【課題】使用後の折り畳みが容易であると共に、持ち運びにも便利である折り畳み式踏み台を提供する。【解決手段】折り畳み式踏み台１０は、相対向する平板状の一対の第１側板部１１と、一対の第１側板部１１の両側縁に回動可能に取り付けられると共に両側縁間の中央にて折り曲げ可能にされた一対の第２側板部１６と、一対の第１側板部１１及び第２側板部１６の上側に載置されて第１側板部１１に両側縁が回動可能に取り付けられると共に、両側縁の中央にて外方に向けて折り曲げ可能に連結された第１上板部２６及び第２上板部２７からなる踏み板部２５とを設ける。第２上板部２７の両外縁側にてコ字状の把持枠部３３が一体に取り付けられており、第１上板部２６の外側縁を取り囲んで外側縁にほぼ密着した状態で配設される。【選択図】図１
2015139553.tif 000002
【特許請求の範囲】
【請求項１】
互いに対向する四角形状の一対の第１側板部と、四角形状の対向する両側縁間の中央にて折り曲げ可能にされており、該両側縁にて前記一対の第１側板部の対向する両側縁にそれぞれ回動可能に連結された一対の第２側板部と、四角形状の対向する一対の一側縁間の中央にて折り曲げ可能に連結された第１上板部及び第２上板部とを有し、前記一対の第１側板部及び第２側板部の上側に載置されて、前記第１上板部及び第２上板部の両一側縁にて前記一対の第１側板部の上縁にそれぞれ回動可能に連結された踏み板部とを設けた折り畳み式踏み台において、
前記第１上板部及び第２上板部のいずれか一方の両他側縁側にて一体に取り付けられて、前記第１上板部及び第２上板部の他方の外縁を密着状態で取り囲んで配設されたコ字状の把持枠部を設けたことを特徴とする折り畳み式踏み台。
【発明の詳細な説明】
【技術分野】
【０００１】
本発明は、高所に収容された物を取り出したりする等の高所作業の際に使用され、使用後には折り畳んでコンパクトにできる折り畳み式踏み台に関する。
【背景技術】
【０００２】
従来、この種の折り畳み式踏み台としては、特許文献１に示すように（図７参照）、互いに対向する一対の側板部２と、一対の側板部２の両側縁に回動可能に取り付けられると共に両側縁間の中央にて折り曲げ可能にされた一対の側板部３と、側板部２及び側板部３の上側に載置されて一対の側板部２に両側縁が回動可能に取り付けられると共に、両側縁の中央にて外方に向けて折り曲げ可能に連結された第１上板部５及び第２上板部６からなる踏み板部４とを設けた踏み台１が知られている。踏み台１は、第１上板部５の連結部分中央から第２上板部６側に延びたコの字状の把持部７を設けており、この把持部７を手で持って持ち上げることにより、第１上板部５と第２上板部６が折り曲げられて重ね合わされるようになっている。そのため、踏み台１の使用後は、コ字状の把持部７を内側から手で持って引き上げることにより、踏み板部４が第１及び第２上板部５，６の間で折り曲げられると共に、一対の側板部３の中央にて折り曲げられ、全体がコンパクトに折り畳まれる。そのため、把持部７を手で握って踏み台１を持ち運ぶことが可能であり、また踏み台１の収容スペースが少なくされる。
【０００３】
しかし、上記踏み台１では、把持部７が第１上板部５と第２上板部６の境界の狭い範囲に配設される小さなものであるため、折り畳みの際に把持部７を持上げるのは必ずしも容易ではなく、持ち運びも容易ではない。特に手の小さな女性や子供にはこれら作業が容易ではなく、さらに把持部７と第２上板部６との間で手を挟みやすいという問題もある。
【先行技術文献】
【特許文献】
【０００４】
【特許文献１】意匠登録第１４４２１０７号公報
【発明の概要】
【発明が解決しようとする課題】
【０００５】
本発明は、上記問題を解決しようとするもので、使用後の折り畳みが容易であると共に、持ち運びにも便利である折り畳み式踏み台を提供することを目的とする。
【課題を解決するための手段】
【０００６】
上記目的を達成するために、本発明の構成上の特徴は、互いに対向する四角形状の一対の第１側板部と、四角形状の対向する両側縁間の中央にて折り曲げ可能にされており、両側縁にて一対の第１側板部の対向する両側縁にそれぞれ回動可能に連結された一対の第２側板部と、四角形状の対向する一対の一側縁間の中央にて折り曲げ可能に連結された第１上板部及び第２上板部とを有し、一対の第１側板部及び第２側板部の上側に載置されて、第１上板部及び第２上板部の両一側縁にて一対の第１側板部の上縁にそれぞれ回動可能に連結された踏み板部とを設けた折り畳み式踏み台において、第１上板部及び第２上板部のいずれか一方の両他側縁側にて一体に取り付けられて、第１上板部及び第２上板部の他方の外縁を密着状態で取り囲んで配設されたコ字状の把持枠部を設けたことにある。
【０００７】
上記のように構成した本発明においては、コ字状の把持枠部が、第１及び第２上板部のいずれか一方の両他側縁側に一体に設けられると共に、第１及び第２上板部の他方の外縁を取り囲んで配設された大きな枠状となっている。そのため、踏み台の使用後に、外側から把持枠部を手で握って簡単に持ち上げることができ、一対の第２側板部と踏み板部とを折り曲げて、簡単に踏み台を折り畳むことができる。また、把持枠部は大きな形状で且つ外側から持ち上げるようになっているため、折り畳みの際に、踏み台との間に指を挟むおそれもない。さらに、コ字状の把持枠部が大きいため、踏み台の持ち運びも容易であり、複数の踏み台もまとめて容易に持ち運ぶことができる。
【発明の効果】
【０００８】
本発明においては、第１及び第２上板部のいずれか一方の両他側縁に、第１及び第２上板部の他方の外縁を取り囲んだコ字状の把持枠部を設けたことにより、踏み台の折り畳みが容易になると共に、持ち運びが簡易にされた。
【図面の簡単な説明】
【０００９】
【図１】本発明の一実施例である折り畳み式踏み台を概略的に示す斜視図である。
【図２】同折り畳み式踏み台を示す平面図である。
【図３】同折り畳み式踏み台を示す正面図である。
【図４】同折り畳み式踏み台を示す側面図である。
【図５】同折り畳み式踏み台の折り畳んだ状態を示す正面図である。
【図６】同折り畳み式踏み台の折り畳んだ状態を示す側面図である。
【図７】従来例である折り畳み式踏み台を示す斜視図である。
【発明を実施するための形態】
【００１０】
以下、本発明の一実施例について図面を用いて説明する。図１は一実施例である折り畳み式踏み台を斜視図により示し、図２〜図４は折り畳み式踏み台を平面図、正面図及び側面図により示したものである。
【００１１】
折り畳み式踏み台１０（以下、踏み台１０と記す。）は、塩化ビニール等の樹脂製の板材を組み合わせた中空の四角錐台形状であり、相対向する等脚台形形状の一対の第１側板部１１と、一対の第１側板部１１の両側縁に回動可能に取り付けられると共に両側縁間の中央にて折り曲げ可能にされた等脚台形形状の一対の第２側板部１６とを設けている。第１及び第２側板部１１，１６の上縁側には、一部に把持枠部３３を有する長方形の踏み板部２５が載置されて、一対の１側板部１１の上縁に両側縁が回動可能に取り付けられている。なお、踏み台１０の前後、左右、上下については、以下図３の前後、左右、上下に合わせるものとする。
【００１２】
第１側板部１１は、軽量化と装飾性を高めるために、中央に横長の角孔１１ａを有すると共に、下辺側中央に角型に切欠かれた切欠き部１１ｂを有している。第１側板部１１は、両側縁の上下端側に長さの短い連結片１２を設け、中間の等間隔の２か所に長い連結片１３を設け、上縁の等間隔の３箇所に連結片１４を設けている。連結片１２、連結片１３及び連結片１４のいずれかの端部には、図示しない係止用の突起あるいは凹みが設けられている。第１側板部１１は、樹脂射出成形等により一体で形成される。
【００１３】
第２側板部１６は、軽量化と装飾性を高めるために、中央に横長の角孔１６ａを有すると共に、下辺側中央に角型に切欠かれた切欠き部１６ｂを有しており、横方向の中央にて左右に分離されると共に互いに回動可能に連結された第１板部１７と第２板部１８に分けられている。第１板部１７と第２板部１８の角孔１６ａを挟んだ上下両側の連結部分には、連結凸片１９，２１が交互に設けられている。連結凸片１９，２１のいずれかの端部には、図示しない係止用の突起あるいは凹みが設けられている。両連結凸片１９，２１が突起や凹みで係止し合うことにより、第１板部１７と第２板部１８が回動可能に連結されている。第１板部１７と第２板部１８の側縁には、上記連結片１２，１３の間に対応して３箇所に配設された連結片２３が設けられている。連結片２３のいずれかの端部には、連結片１２，１３の上記係止用の突起あるいは凹みに対応して図示しない係止用の凹みあるいは突起を設けている。第２側板部１６は、両側縁の連結片２３において連結片１２，１３の突起や凹みとで係止し合うことにより、第１側板部１１に回動可能に連結される。第２側板部１６は、第１板部１７及び第２板部１８がそれぞれ樹脂射出成形等により一体で形成され、その後、両連結片１９，２１により一体に連結される。
【００１４】
踏み板部２５は、前後中央位置で前後に分離されると共に、折り曲げ可能に連結された前側の第１上板部２６と後側の第２上板部２７とを設けている。第１上板部２６は、第２上板部２７より左右長さがわずかに短くなっている。第１上板部２６と第２上板部２７は、連結部分にそれぞれ係合し合うように交互に突出した連結片２８，２９を設けており、連結片２８，２９のいずれかの端部に設けた図示しない係止用の突起及び凹みで互いに係止されて回動可能に連結されている。第１上板部２６と第２上板部２７の前後側縁には、上記第１側板部１１の連結片１４を挟むように交互に配置された連結片３１，３２を設けている。連結片３１，３２のいずれかの端部には、図示しない係止用の突起あるいは凹みが設けられている。踏み板部２５は、連結片３１，３２により一対の第１側板部１１の連結片１４とそれぞれの係止用の突起及び凹みで互いに係止されて第１側板部１１に回動可能に連結されている。
【００１５】
第２上板部２７の連結部分側の第１上板部２６より左右両側に延びた部分には、コ字状の把持枠部３３が一体で設けられて、第２上板部２７と同一面上に延びて第１上板部３２の外縁を取り囲んでほぼ密着状態で配置されている。このように、踏み板部２５は、第１上板部２６、第２上板部２７および把持枠部３３により構成されている。踏み板部２５は、第１上板部２６と第２上板部２７及び把持枠部３３がそれぞれ樹脂射出成形等により一体で形成され、その後、両連結片２８，２９により一体に連結される。なお、第２上板部２７と把持枠部３３とは、樹脂射出成形等により一体で形成されるが、両者を別体で成形した後に接着させてもよい。
【００１６】
上記のように構成した実施例においては、コ字状の把持枠部３３が、第２上板部２７の両側縁に一体に設けられると共に、第１上板部２６の外縁を取り囲んで配設された大きな枠状となっている。そのため、踏み台１０の使用後に、外側から把持枠部３３を手で握って簡単に持ち上げることができ、一対の第２側板部１６と踏み板部２５とを折り曲げて、簡単に踏み台１０を折り畳むことができる。また、折畳みの際、把持枠部３３は大きな形状で且つ外側から持ち上げるようになっているため、第１上板部２６との間に指を挟むおそれもない。さらに、コ字状の把持枠部３３が大きいため、踏み台１０の持ち運びも容易であり、複数の踏み台１０をまとめて容易に持ち運ぶことができる。
【００１７】
なお、上記実施例において折り畳み式踏み台は、４個の側板部の組み合わせ形状が四角錐台形状であるがこれに代えて、直方体形状であってもよい。また、各側板部の穴及び切欠きの形状についても、実施例の形状に限らず、任意の形状であってもよい。また、踏み台は、家庭等で高所作業等の際に使用されるものであるが、それ以外にも簡易な腰掛としても使用することができる。その他、上記実施例については一例であり、本発明の趣旨を逸脱しない範囲において種々変更して実施することができる。
【符号の説明】
【００１８】
１０…折り畳み式踏み台、１１…第１側板部、１６…第２側板部、２５…踏み板部、２６…第１上板部、２７…第２上板部、３３…把持枠部。
【図１】
2015139553.tif 000003
【図２】
2015139553.tif 000004
【図３】
2015139553.tif 000005
【図４】
2015139553.tif 000006
【図５】
2015139553.tif 000007
【図６】
2015139553.tif 000008
【図７】
2015139553.tif 000009